(57)【要約】【課題】鋳物工場から発生する廃砂および廃棄集塵ダスト中に含まれる重金属・フッ素・ホウ素などの有害物質を、低コストで不溶化処理することができる技術を提供する。【解決手段】鋳物を製造する鋳造ラインで用いられる鋳型砂中の有害物質を不溶化剤によって不溶化処理するための鋳型砂中の有害物質の処理方法である。鋳型砂を再利用する再利用工程で発生したダストを集塵機１に搬送する集塵工程において不溶化剤を添加し、ダストの表面に付着させる。【選択図】図４
2013056358.tif 000002
【特許請求の範囲】
【請求項１】
鋳物を製造する鋳造ラインで用いられる鋳型砂中の有害物質を不溶化剤によって不溶化処理するための鋳型砂中の有害物質の処理方法であって、
前記鋳造ラインは、
鋳型への注湯後に鋳型ばらしを行う鋳型ばらし工程と、
鋳型ばらし工程から排出される鋳型砂の再生処理を行う砂再生工程と、
砂再生工程で再生された鋳型砂を未使用の鋳物砂、添加剤等と混練し、鋳型造型に使用する混練物として造型機に供給する混練工程と、を含む鋳型砂を再利用する再利用工程を備え、
前記再利用工程で発生したダストを集塵機に搬送する集塵工程において、前記不溶化剤を添加することを特徴とする鋳型砂中の有害物質の処理方法。
【請求項２】
前記集塵工程は、ろ過と逆洗を繰り返し行う工程中で不溶化剤が有害物質を含むダストに付着する不溶化工程を有することを特徴とする請求項１に記載の鋳型砂中の有害物質の処理方法。
【請求項３】
前記有害物質は、カドミウム、六価クロム、水銀、セレン、鉛、砒素、フッ素、ホウ素等、土壌汚染対策法において土壌環境基準が規定される第２種特定有害物質のうちから選択された少なくとも１つであることを特徴とする請求項１に記載の鋳型砂中の有害物質の処理方法。
【請求項４】
前記集塵工程は複数の有害物質に対し、１種類または２種類以上の不溶化剤を添加することを特徴とする請求項３に記載の鋳型砂中の有害物質の処理方法。
【請求項５】
鋳物を製造する鋳造ラインで用いられる鋳型砂中の有害物質を不溶化処理するための鋳型砂中の有害物質の処理システムであって、
前記鋳造ラインは、鋳型への注湯後に鋳型ばらしを行う鋳型ばらし設備と、
鋳型ばらし設備で生じたバラシ砂の再生処理を行う砂再生設備と、
砂再生設備で再生された鋳型砂を未使用の鋳物砂、添加剤等と混練し、鋳型造型に使用する混練物として造型機に供給する混練設備と、を備え、
前記鋳型ばらし設備、前記砂再生設備、前記混練設備の各設備間の搬送設備、前記砂再生設備および前記混練設備のうち少なくとも１つの設備から発生したダストを集塵機に搬送する経路に不溶化処理を行うための不溶化剤をダストに添加する不溶化剤添加設備を備えたことを特徴とする鋳型砂中の有害物質の処理システム。
【請求項６】
前記集塵機がバグフィルタ型集塵機であることを特徴とする請求項５に記載の鋳型砂中の有害物質の処理システム。
【請求項７】
前記バグフィルタ型集塵機が逆洗機能付きであることを特徴とする請求項６に記載の鋳型砂中の有害物質の処理システム。
【請求項８】
前記集塵機は複数存在し、複数の有害物質に対し別々の不溶化剤を添加する不溶化添加設備を備えたことを特徴とする請求項５に記載の鋳型砂中の有害物質の処理システム。
【発明の詳細な説明】
【技術分野】
【０００１】
本発明は、鋳物工場から発生する廃砂、集塵ダスト等の鋳造廃棄物の処理技術に関するものであり、特に鋳造廃棄物から溶出する重金属・フッ素及びホウ素に代表される環境基準値に規制される有害物質の不溶化処理を行うことにより、その溶出防止を図る技術に関するものである。具体的な有害物質としては、カドミウム、六価クロム、水銀、セレン、鉛、砒素、フッ素、ホウ素等、土壌汚染対策法において土壌環境基準が規定される第２種特定有害物質のうちから選択された少なくとも１つを挙げることができる。
【背景技術】
【０００２】
鋳物工場から排出される廃砂および廃棄集塵ダストは、従来からセメント原料および路盤材原料として再利用されてきた。しかしながら、近年の土壌を含めた環境浄化の規制強化により、環境省告示４６号に示される重金属・フッ素・ホウ素などの溶出基準値を超えないようにする不溶化処理をする必要が生じてきた。不溶化剤は、多くの種類があるが、その殆どが処理物に対して重量比数パーセント添加して加湿混練する必要がある。
【０００３】
一般的な鋳物工場では、注湯、解枠といったプロセスにあわせて廃棄物が発生し、それぞれ発生する廃棄物性状によって、不溶化剤の種類及び添加量を変更する必要がある。このため、これらの廃棄物を不溶化する為には、廃棄物性状に合わせて複数の不溶化処理設備を設置するか、または単一の処理設備を切り替えて使用する必要があった（特許文献１）。また、複数の廃棄物が混在した状態で不溶化処理を行う場合においては、個別に処理を行う場合と比較して、多量の不溶化剤を添加する必要があり、廃棄物・再生資源の重量が増加する、不溶化剤のコストが高くなる問題があった。
【先行技術文献】
【特許文献】
【０００４】
【特許文献１】特開２０１０−１７２８１３号公報
【発明の概要】
【発明が解決しようとする課題】
【０００５】
本発明は、鋳物工場から発生する廃砂および廃棄集塵ダスト中に含まれる重金属・フッ素・ホウ素などの有害物質を、混合装置を用いずに、低コストで不溶化処理することができる鋳型砂中の有害物質の処理方法及び鋳型砂中の有害物質の処理システムを提供することを目的とする。
【課題を解決するための手段】
【０００６】
上記の課題を解決するためになされた本発明の鋳型砂中の有害物質の処理方法は、鋳物を製造する鋳造ラインで用いられる鋳型砂中の有害物質を不溶化剤によって不溶化処理するための鋳型砂中の有害物質の処理方法であって、前記鋳造ラインは、鋳型への注湯後に鋳型ばらしを行う鋳型ばらし工程と、鋳型ばらし工程から排出される鋳型砂の再生処理を行う砂再生工程と、砂再生工程で再生された鋳型砂を未使用の鋳物砂、添加剤等と混練し、鋳型造型に使用する混練物として造型機に供給する混練工程と、を含む鋳型砂を再利用する再利用工程を備え、前記再利用工程で発生したダストを集塵機に搬送する集塵工程において、前記不溶化剤を添加することを特徴とするものである。
【０００７】
なお請求項２のように、前記集塵工程は、ろ過と逆洗を繰り返し行う工程中で不溶化剤が有害物質を含むダストに付着する不溶化工程を有することが好ましい。また請求項３のように、前記有害物質は、カドミウム、六価クロム、水銀、セレン、鉛、砒素、フッ素、ホウ素等、土壌汚染対策法において土壌環境基準が規定される第２種特定有害物質のうちから選択された少なくとも１つであることが好ましい。また請求項４のように、前記集塵工程は複数の有害物質に対し、１種類または２種類以上の不溶化剤を添加することが好ましい。
【０００８】
また上記の課題を解決するためになされた本発明の鋳型砂中の有害物質の処理システムは、鋳物を製造する鋳造ラインで用いられる鋳型砂中の有害物質を不溶化処理するための鋳型砂中の有害物質の処理システムであって、前記鋳造ラインは、鋳型への注湯後に鋳型ばらしを行う鋳型ばらし設備と、鋳型ばらし設備で生じたバラシ砂の再生処理を行う砂再生設備と、砂再生設備で再生された鋳型砂を未使用の鋳物砂、添加剤等と混練し、鋳型造型に使用する混練物として造型機に供給する混練設備と、を備え、前記鋳型ばらし設備、前記砂再生設備、前記混練設備の各設備間の搬送設備、前記砂再生設備および前記混練設備のうち少なくとも１つの設備から発生したダストを集塵機に搬送する経路に不溶化処理を行うための不溶化剤をダストに添加する不溶化剤添加設備を備えたことを特徴とするものである。
【０００９】
なお請求項６のように、前記集塵機がバグフィルタ型集塵機であることが好ましく、請求項７のように、前記バグフィルタ型集塵機が逆洗機能付きであることが好ましい。さらに請求項８のように、前記集塵機は複数存在し、複数の有害物質に対し別々の不溶化剤を添加する不溶化添加設備を備えることが好ましい。
【発明の効果】
【００１０】
本発明によれば、鋳物工場から発生する廃棄集塵ダスト中に含まれるハロゲン・重金属などの有害物質を不溶化処理する工程において、集塵機内へ廃ダストと付着性がある不溶化剤を連続的に吹き込むことにより、粒子径、かさ比重の異なる不溶化剤と廃ダストを、混練機を用いずに混合することが可能となり、設備の簡素化及びコストダウンの効果が得られる。また、異なるプロセスを吸引する複数の集塵機に本プロセスで提案した不溶化剤吹きこみ装置をそれぞれ設置することによって、各集塵機内で最適に不溶化剤が混合された廃ダストを調整することで、各廃ダストをサイロへ一括貯槽した場合における、サイロから廃ダスト排出時の不溶化剤の消費量を低減できるばかりでなく、限りある地球資源を節約できるという効果も得られる。
【図面の簡単な説明】
【００１１】
【図１】一般的な鋳造廃棄物の不溶化処理フローの説明図である。
【図２】一般的な鋳造廃棄物の不溶化処理フローの説明図である。
【図３】従来の不溶化処理工程を組み込んだ鋳造ライン全体のフロー図である。
【図４】本発明の鋳造廃棄物の不溶化処理フローの説明図である。
【図５】本発明の鋳造廃棄物の不溶化処理フローの説明図である。
【図６】本発明の不溶化処理工程を組み込んだ鋳造ライン全体のフロー図である。
【図７】本発明の不溶化処理工程を組み込んだ鋳造ライン全体のフロー図である。
【図８】ろ布表面における不溶化剤の挙動の説明図である。
【図９】鋳物砂の顕微鏡写真であり、Ａは不溶化未処理の状態、Ｂは不溶化処理した状態を示す。
【発明を実施するための形態】
【００１２】
以下に本発明の実施形態を説明するが、それに先立ち先ず図１から図３により、一般的な鋳造廃棄物の不溶化処理フローを示す。図１に示すように、従来の不溶化処理フローでは、集塵機１で捕集されたダストを、定量切り出し装置２、加水式の混練機３（連続式、またはバッチ式）、不溶化剤添加装置４で構成された不溶化処理装置へ投入し、不溶化処理を行う。
【００１３】
鋳型工場の生産プロセスごとに発生する集塵ダストは、物理的性状、化学的性状が異なることが一般的である。複数ある集塵機１から発生するダストをダストサイロで貯槽する場合においては、対象ダストは乾燥状態であることが望ましく、図１に示される従来の不溶化剤添加、加水混練処理を行った場合は、サイロに投入するためには、貯槽内棚つり・閉塞防止のため、処理後に対象ダストを適切な含水率まで乾燥するか、湿潤したダストでも貯槽・排出が可能なサイロに更新する必要があり、採用が困難である。
【００１４】
このような問題により、これら複数種の集塵ダストは個別に不溶化処理を行うことは出来ず、従来のプロセスにおいては、図２に示したダストサイロ５内に一括貯槽し、ダストを排出する時点で不溶化剤を用いた不溶化処理手法を行っている。しかし、ダストサイロ５から切りだされるダストは均質化しておらず、結果、最も不溶化剤を多く必要とするダストの特性に合わせて、不溶化剤の投入量を制御する必要があり、不溶化剤コスト及び不溶化剤添加による廃棄物発生量の増大という問題があった。
【００１５】
なお図３は上記した不溶化処理工程を組み込んだ鋳造ライン全体のフロー図である。新砂と再生砂とは混練（Ｓ１）されたうえで造型（Ｓ２）されて鋳型となり、金属用溶湯が注湯（Ｓ３）される。その後、鋳型ばらし（Ｓ４）が行われ、廃砂は砂再生利用工程（Ｓ５）に送られる。一方、鋳物は砂付鋳物清掃工程（Ｓ６）、表面処理清掃工程（Ｓ７）、鋳物清掃工程（Ｓ８）を経て付着した砂やバリを除去したうえ、仕上げ（Ｓ９）、検査（Ｓ１０）を経て出荷される。
【００１６】
これらの清掃工程において回収された廃砂は砂再生利用工程（Ｓ５）に送られるが、これらの工程で発生するダストは集塵機１で集塵され、ダストサイロ５へ搬送される。また砂再生工程（Ｓ５）において発生するダストも集塵機１で回収され、ダストサイロ５へ搬送される。そしてダストサイロ５から切りだされるダストに不溶化剤の加湿混練による不溶化処理（Ｓ１１）が施され、廃棄処理される。
【００１７】
これに対して本発明では、図４に示されるフローのように、集塵機１の入口部に不溶化剤を連続的に吹き込む吹き込み装置６を設置することによって、集塵機１の濾布表面に捕集された比重の軽い不溶化剤が、比重の重い集塵ダストの外表面に選択的に付着し、比重の異なる粉体が気流中で重力・比重分離することなく、集塵機１から排出されるダストに均一に不溶化剤が混合した状態で回収できる。これにより、不溶化剤を混合するための混練機３を用いることなく、不溶化剤と集塵ダストとの混合が可能となる。なお集塵機１は好ましくはバグフィルタ型集塵機であり、バグフィルタ型集塵機は逆洗機能付きであることが好ましい。
【００１８】
また、上記のように集塵機１ごとに集塵ダスト性状が異なる場合において、本発明では図５に示したように当該集塵機１に対し、１台または複数台の不溶化剤供給装置７を接続し、不溶化剤を供給する手法により、前記した問題を解決することができる。
【００１９】
本発明ではそれぞれの集塵ダストに対し、適性、適量の不溶化剤の供給を行い、ダストへ不溶化剤を付着させる。その後、各集塵機で回収された不溶化剤混合済みの集塵ダストを空気輸送、スクリューコンベア、ダスト缶等を用いて、ダストサイロ５で一括貯槽後、適宜ダストは切り出され、再生資源として工場外へ搬出される。
【００２０】
図６は本発明の不溶化処理工程を組み込んだ鋳造ライン全体のフロー図である。従来と同様、未使用の鋳型砂と再生砂とは添加材等と混練設備において混練（Ｓ１）され、鋳型造型に使用される混練物として造型機に供給され、造型（Ｓ２）されて鋳型となる。この鋳型に金属用溶湯が注湯（Ｓ３）されて鋳造が行われる。その後、鋳型ばらし設備において鋳型ばらし（Ｓ４）が行われ、廃砂は砂再生設備の砂再生工程（Ｓ５）に送られる。一方、鋳物は砂付鋳物清掃工程（Ｓ６）、表面処理清掃工程（Ｓ７）、鋳物清掃工程（Ｓ８）を経て付着した砂やバリを除去したうえ、仕上げ（Ｓ９）、検査（Ｓ１０）を経て出荷される。
【００２１】
これらの清掃工程において回収された廃砂は砂再生利用工程（Ｓ５）に送られるが、清掃工程で発生するダストは集塵機１で集塵される。本発明ではこの集塵機１に対し不溶化剤Ａが供給され、ダストの表面に不溶化剤Ａが付着される。また砂再生工程（Ｓ５）において発生するダストも集塵機１で回収されるが、この集塵機１に対し不溶化剤Ｂが供給され、ダストの表面に不溶化剤Ｂが付着される。このように本発明では、集塵工程（Ｓ１２）において不溶化剤添加設備によって不溶化剤が添加される。これらの集塵機１において回収された集塵ダストは初塵防止のために必要に応じて加湿混練（Ｓ１３）され、廃棄処理される。
【００２２】
図７は図６の変形例を示すフロー図であり、各集塵機１において不溶化剤Ａ、Ｂを付着させた集塵ダストをダストサイロ５に集めた後、加湿混練（Ｓ１３）して廃棄処理する点が相違している。その他の工程は図６と同じであるので説明を省略する。
【００２３】
図１から図３に示した従来型のサイロ貯槽後、不溶化処理を行うプロセスでは、ダストサイロから切り出されるダストに対し、最適な不溶化剤を選定することが困難であり、このため高機能な不溶化剤を、安全率を見越して混合、混練する必要があった。これに対して本発明のプロセスでは、各集塵機１で回収されるダストの性状に合わせて不溶化剤の種類を変更することが可能であり、例えば図４に示すように、鉛の溶出が懸念される集塵ダストには鉛用の不溶化剤を、フッ素の溶出が懸念される集塵ダストにはフッ素用の不溶化剤を事前に混合することで、高価な高機能不溶化剤を使用しなくても良くなる。
【００２４】
また、サイロ貯槽前のダストに不溶化剤を事前に付着させておくことによって、有害物の溶出濃度が高い集塵ダストの混合に起因する廃棄物の溶出量管理値超過を防止することができる。
【００２５】
乾式処理にてサイロ貯槽前に、集塵機濾布表面にて個々の対象ダストに適性・適量な不溶化剤を付着させる本方式では、サイロ貯槽前に投入ダストを乾燥させる、またはサイロ壁面を加熱する装置は不要であり、現状使用している廃棄物貯槽設備を流用出来る。これらのプロセスにより、不溶化剤の使用量を減らすことが可能であり、不溶化剤コストの低減と、不溶化剤削減分の廃棄物処理費の低減、既設設備の流用による設備投資費の低減が得られる。
【００２６】
次に、本発明において用いる不溶化剤について説明する。この不溶化剤は、比重が集塵ダストと同等またはそれよりも軽い粉体であり、図５に示すように気流によって濾布表面に捕集される。濾布表面に集塵ダストが付着する際に、不溶化剤は集塵ダスト表面に選択的に付着し、その後払い落し操作により不溶化剤が付着した集塵ダストは集塵機下部にて回収、搬出装置により装置外へ排出される。
【００２７】
不溶化剤は外表面部で不溶化反応を行うため、比表面積を高くする必要がある。このため、平均粒子径が３〜１０μｍの粉体が一般的である。一方、集塵ダストは１０〜３００μｍと粒子径が広範囲に分布している。
【００２８】
かさ比重や粒子径が異なる乾燥した粉体の混合においては、気流や重力により分級されてしまうため加湿混練等の飛散を防止した混練方法を用いるのが一般的である。しかしながら、本発明のプロセスでは、集塵ダストに含まれるベントナイト由来の粘土分が持つ水分と、不溶化剤の成分である酸化マグネシウムや酸化カルシウムが水分と反応して水酸化物に変化する特性により、加湿混練を行わなくても、ダスト表面に不溶化剤を付着、保持することが出来る。
【００２９】
濾布表面での接触により、不溶化剤がダスト外表面に付着した状態を図９の写真に示す。粒子径の小さい不溶化剤が粒子径の大きいダストの表面に付着していることがわかる。
上記の２つの性質から、集塵機内へ不溶化剤を吹き込むことで、混練装置を用いずに、集塵ダストに不溶化剤を混合することができる。
【実施例】
【００３０】
表１に鋳造工場から発生する廃棄物性状例を示した。図３に示される従来型の不溶化処理による結果を表２に示し、図４に示される本発明の不溶化処理を行った例を表３に示した。表２の試験では、サイロから切り出される廃棄物の性状が不安定であり、不溶化の必要がないダストが切り出されている状態においても、常に鉛及びフッ素用の不溶化剤を添加、混合する必要があった。一方、表３のプロセスでは、表２のプロセスと比較して、少ない不溶化剤添加量で同等の場外搬出時性状とすることが可能であった。
【００３１】
【表１】
2013056358.tif 000003
【００３２】
【表２】
2013056358.tif 000004
【００３３】
【表３】
2013056358.tif 000005
【００３４】
なお、表２の従来型不溶化処理において添加した不溶化剤重量は１９２５ｋｇ−１７５０ｋｇ＝１７５ｋｇであった。一方、表３では、１８２５ｋｇ−１７５０ｋｇ＝７５ｋｇであり、サイロ混合前に不溶化剤を混合させた本プロセスは、従来型のプロセスと比較して不溶化剤の使用量を１／２以下にすることが出来た。これにより、不溶化剤使用量を低減する効果が実証された。
【符号の説明】
【００３５】
１  集塵機
２  定量切り出し装置
３  混練機
４  不溶化剤添加装置
５  ダストサイロ
６  吹き込み装置
７  不溶化剤供給装置
【図１】
2013056358.tif 000006
【図２】
2013056358.tif 000007
【図３】
2013056358.tif 000008
【図４】
2013056358.tif 000009
【図５】
2013056358.tif 000010
【図６】
2013056358.tif 000011
【図７】
2013056358.tif 000012
【図８】
2013056358.tif 000013
【図９】
2013056358.tif 000014